(57)【要約】      （修正有）【課題】広告ビラを受け取った消費者等が、広告ビラを利用しやすくするよう構成し、宣伝効果を上げる。また、広告ビラを携行でかさばらない形状に構成し、持ち運び、保管を容易にして、広告ビラの利用効果を向上させる。【解決手段】大判のシート１を等面積の携行し易いサイズの区画に分割し、区画の境界に切り取り線４を施す。このようにして得た区画３の各々には、区画ごとに独立した内容の宣伝メッセージやクーポン等、宣伝に必要な情報２を印刷する。前記の区画は切り取り線から適当に切り離して、該区画に印刷した宣伝メッセージにより所望の店舗を探したり、区画に印刷したクーポンを利用できる。さらに、切り取り線に沿って折り畳むことにより、シート全体をコンパクトなサイズの物に形成できる。【選択図】図１
0003130404.tif 000002
【実用新案登録請求の範囲】
【請求項１】
１枚のシートからなる広告ビラに切り取り線を施して同一面積の複数区画に分割して、それら区画が前記シートから個々に切り取り可能ようにし、前記分割した区画毎に独立した内容の印刷を行なったことを特徴とする広告ビラ。
【請求項２】
１枚のシートからなる広告ビラに切り取り線を施して同一面積の複数区画に分割して、それら区画が前記シートから個々に切り取り可能ようにし、前記分割した区画毎に独立した内容の印刷を行なった後に前記シートを切り取り線において折りたたみ、前記区画の一つの面積に等しい面形状に形成したことを特徴とする広告ビラ。
【請求項３】
請求項１または２に記載した複数区画のうちの少なくても１区画を除く他の区画をさらに適宜数の等しい面積の小区画に分割し、該小区画の境界に切り取り線を施したことを特徴とする請求項１または２に記載した広告ビラ。
【請求項４】
請求項１ないし２に記載した分割区画の面形状が縦横略１２５  ｍｍ以内ｘ１５５  ｍｍ以内であることを特徴とする請求項１ないし３に記載した広告ビラ。
【考案の詳細な説明】
【技術分野】
【０００１】
本考案は、１枚のシートに宣伝内容やクーポンを印刷して配布する広告ビラに関するものである。
【背景技術】
【０００２】
配布したり、新聞に折り込みで配達された広告ビラは比較的大判の紙シートに印刷されたものが多く保管や持ち運びに不便のため捨てられたり廃品回収の対象として宣伝効果を発揮することなく広告媒体としての効果に問題があった。広告ビラをポケット等に入れて簡単に携行しやすくする提案は過去にもなされており、例えば特許文献１では、広告内容や名刺を印刷したシートを折りたたんでコンパクトに構成する考案が開示されている。
【０００３】
また、ビラの中の必要部分を一部切り離して利用するために該当する部分の周辺に切り取り線を入れた考案もある。特許文献２は、１枚の紙を４部分に折りたたむように折り目を入れると共に、最端部にある部分を切り離して利用できるよう折り目にミシン目を入れて考案が開示されている。さらに広告ビラを折りたたんだ状態における個々の面を跨るように宣伝内容を印刷することは、宣伝内容の全体を見るためには複数の面を開いてみる必要があって利用者に不便の感を与える場合がある。特許文献３にはこのような不便を解消する方法として１種類の宣伝内容を折りたたんだ１つの面に収まるように印刷する提案がなされている。
【０００４】
大判のシート（ここで大判のシートとは折り畳まないでは服のポケットに容易に収まらないサイズの１枚の紙であり、表面、裏面に印刷するもの。例えばB５サイズまたはそれ以上の大きいサイズの紙で、広告内容やクーポンなどを印刷するものを言う）を容易にシャツのポケット等に収める程度の大きさに折り畳む場合、前記の開示文献に開示された方法によっては折り畳み後厚さがかさばり、あるいは折り目部分が体裁よく折り曲げられず、広告ビラを受け取る人々の良い印象が得られない。従って上記開示文献では折り畳みは元にシートを８分割程度に制限しないと体裁よい、かさばらない形状に折り曲げるのが困難と思われる。
【０００５】
また、大判シートに印刷した広告ビラの必要箇所を簡単に切り取り、保管したり、持ち運びできるようにすればビラ全体を保管したり携帯するのに比べて便利である。しかも、特許文献２に開示されたように、ビラの端部に限定せず、任意の部分が切り離せれば便宜性が向上する。しかし、そのような広告ビラは今までのところ提案されていなかった。
【特許文献１】実登３０１１７５２
【特許文献２】実登３１１６６０２
【特許文献３】特開２００２−２７８４８８号公報
【考案の開示】
【考案が解決しようとする課題】
【０００６】
解決しようとする課題は、シャツや服のポケットあるいは類似の場所に簡単に収めることができる大きさに体裁よく、かさばらない様に折り畳み、また必要な箇所のみを任意に切り取って携行、収納することが可能な、大判の紙シートに印刷した広告ビラを提案することである。
【課題を解決するための手段】
【０００７】
請求項１に記載した考案は、大判のシートを等しい面積の区画に分割し、前記区画をなす境界線には切り取り線を施すとともに、それら区画には区画毎に独立した内容を持つ宣伝、クーポンその他広告メッセージや情報を印刷した広告ビラである。ここで独立した内容とは、前記広告ビラの区画を元のビラから切り離した場合でも、該区画に印刷した内容が所望の用途に利用できる情報を含んでいること、該区画の印刷内容がクーポン等としての利用に有効であることを言う。なお、前記にビラ配布は手渡しの配布、新聞等への折込み、自由持ち去り等公衆にビラを渡す一般的な方法をすべて含むものとする。
【０００８】
本考案において、上記の区画の境界をなす切り取り線は、ミシン目等であって、切り取り線に囲まれた区画が容易に切り離し可能であること、該切り取り線に沿って折り畳んだ時、その折り目が充分に鋭く、シャープになる構造である。このような切り取り線を施すことにより区画ごとに元の広告ビラシートから容易に切り離して利用できる。また元の広告ビラシートでは携行に不便な場合にはポケットに入るサイズなど適当な大きさに該シートを折り畳むことが望まれるが、本考案の広告ビラは前記区画の境界線に全て切り取り線が施してあるので、該切り取り線を折り目として折り畳むことが容易である。さらに切り取り線で折り畳むので、折り畳み後の面の縁の線はシャープであり、切り取り線のないシートを折り畳んだ場合と比較して前記縁線の部分で厚くなることがなく、かさばらない、コンパクトな体裁よいものにできる。
【０００９】
本考案による広告ビラは元のシートの大きさで配布しても良く、あらかじめ切り取り線にそって折り畳み、前記分割した区画の一つの面と同じ面積になるようにして配布しても良い。本考案の広告ビラを折り畳まずに元のシートのまま配布する場合には、前記の区画分割用の切り取り線で折り畳んでコンパクトなサイズにして保管、利用することを可能にする。元のシートのまま折り畳まずに配布しても、受け取った人は切り取り線に従って容易に折り畳むことができる。また、区画ごとに元の広告ビラシートから容易に切り離して利用できる。
【００１０】
、請求項２に記載の考案は、広告ビラをあらかじめ折り畳んで配布するようにしたものである。折り畳むことによりコンパクトで持ち運びやすい広告媒体として利用できる。本考案の広告ビラは分割した区画の境界線の全てに切り取り線を施しているので、折り畳んだ状態において切り取り線に沿った折り曲げ線がシャープになり、切り取り線を施さないシートを折り畳んだ場合に比べて折り曲げた縁が厚くならず、かさばらない。  あるいは配布されたビラの必要部分のみを切り取り線で切り離して携行、利用することができる。
【００１１】
請求項３に記載の考案は、上記段落００７で記述した区画（第一区画と呼ぶ）の一部にさらに切り取り線を施して所望の小区画（第二区画と呼ぶ）に分割して利用することが可能である。第一区画を、広告ビラを折り畳んで携行、保管に便利なサイズ、例えば折り畳み後のサイズを名刺サイズ（典型的には縦横６０ｘ９０ｍｍ程度）とし、第一区画をさらに小さい第二区画に分割して利用することが便利な場合がある。例えば情報量の少ないクーポン用の区画として小区画である第二区画をあてる場合である。その為に、該第一区画にさらに切り取り線を施して小区画を作る。ただし、折り畳み後のサイズを前記携行、保管に便利なもの（例えば名刺サイズ）とすることを容易にするため、また折り畳み後の体裁を考えて、第一区画の少なくとも１には切り取り線を施さないこととする。この場合切り取り線を施さない第一区画を折り畳み後の表面になるように折り畳む。
【考案の効果】
【００１２】
本考案の大判のシートに印刷された広告ビラをコンパクトにかさばらないように折り畳んで携行、保管に便利な広告媒体として利用できる。また、元のシートを分割した区画ごとに独立した宣伝情報等を印刷してあるので、区画ごとに切り離して利用できる利点がある。
【考案を実施するための最良の形態】
【００１３】
図１は本考案の実施の最良の形態を示す。図１において、広告ビラの元のシートはB４とし、長手方向、短手方向をそれぞれ４等分して、１６の区画を作り、該区画３の境界線に切り取り線４を施したものである。各区画には独立の内容の印刷２がなされる。この場合の１区画の面形状はほぼ名刺サイズである。なお広告ビラを区画に分割した場合の1区画が縦横略１２５  ｍｍ以内ｘ１５５  ｍｍ以内であれば服のポケット等への収納が容易であるので、用途により名刺類似サイズと異なっても前記縦横のサイズ以内であれば本考案の目的に合った広告ビラとすることができる。
【００１４】
図２は、図１に示す広告ビラを切り取り線において折って折り畳んだ形状である。なお、広告ビラの元のシートのサイズはB4に限らず、他のサイズであっても、また区画のサイズは１６以外でも本考案の目的を達成し得る事は言うまでもない。なお、図２は本考案の広告ビラを折り畳む場合の一例を示すものであって、本考案の範囲は図２に示す折り方には限定されない。
【実施例１】
【００１５】
図３は請求項３に記載した考案に係る広告ビラの説明であり、広告ビラの元のシートを示す。広告ビラの元のシートはB4であり、シートの縦横を４等分して全体を１６の等面積に分割し、それらを第一区画３とし、該区画の境界には切り取り線４を入れる。さらに図３におけるシート短手方向に並んだ第一区画の集合を列とし、図３のA列の区画以外の区画は、矩形状の長手方向を２等分するように切り取り線５を施す。切り取り線５による分割により第二区画６が作られる。
【００１６】
上記のように作られた第一区画３、または第二区画６には区画毎に独立した広告メッセージ、クーポン等の印刷２をする。なお、列Aに所属する２つ区画は広告ビラを切り取り線に沿って折り畳んだ形状において表面、裏面となるので、表面、裏面としての特別の内容、例えば共通のメッセージ、広告ビラ全体に対する連絡問合せ先などの情報を印刷することもできる。
【００１７】
図４は図３のシートを切り取り線に沿って折り畳んだ形状を示す。列Aの１つの区画を表面（図３ではa面）、列Aの他の１の区画（図３ではｂ面）を裏面とするように折り畳む。列Aは第二区画用の切り取り線が施されていないので、第一区画のサイズに折り畳むことが容易であり、折り畳み後の表面、裏面に切り取り線が表れないので体裁が良い。なお、本考案の適用については、元のシートのサイズはB4に限られない。また、区画分割数も１６に限られない。さらに、第二区画への分割を行なわない第一区画の配置は図２の列Aには限られないことは言うまでもない。なお、図４は本考案の広告ビラを折り畳む場合の一例を示すものであって、本考案の範囲は図４に示す折り方には限定されない。
【産業上の利用可能性】
【００１８】
広告ビラは宣伝の手段として広く使用されているが、受け取った人が真に必要とする部分のみをビラ全体から切り離したり、携行し易い形状に折り畳むことのできる本考案のビラは宣伝効果を高める産業上の要求に応える可能性が高い。
【図面の簡単な説明】
【００１９】
【図１】本考案の広告ビラの元のシートの形状を示す説明図である。（最良の実施形態）
【図２】本考案の広告ビラを折り畳んだ形状を示す説明図である。（最良の実施形態）
【図３】本考案の他の実施形態における広告ビラの元のシートの形状を示す説明図である。（実施例１）
【図４】本考案の他の実施形態における広告ビラを折り畳んだ形状を示す説明図である。（実施例１）
【符号の説明】
【００２０】
１    広告ビラ用紙（紙シート）
２    区画内の印刷
３    シート内で分割した区画、または第一区画
４    切り取り線
５    第二区画切り取り線
６    第二区画
【図１】
0003130404.tif 000003
【図２】
0003130404.tif 000004
【図３】
0003130404.tif 000005
【図４】
0003130404.tif 000006
【手続補正書】
【提出日】平成19年1月20日(2007.1.20)
【手続補正１】
【補正対象書類名】実用新案登録請求の範囲
【補正対象項目名】請求項１
【補正方法】変更
【補正の内容】
【請求項１】
１枚のシートからなる広告ビラを同一面積の複数区画に分割する境界線にそってミシン目の切り取り線を施し、かつ前記分割した区画毎に独立した内容の印刷を行なったことを特徴とする広告ビラ。
【手続補正２】
【補正対象書類名】実用新案登録請求の範囲
【補正対象項目名】請求項２
【補正方法】変更
【補正の内容】
【請求項２】
１枚のシートからなる広告ビラを同一面積の複数区画に分割する境界線にそってミシン目の切り取り線を施し、かつ前記分割した区画毎に独立した内容の印刷を行なった後に、該シートを前記切り取り線において折りたたみ、前記区画の一つの面積に等しい面形状に形成したことを特徴とする広告ビラ。